(57)【特許請求の範囲】
【請求項１】
ハウジングと、
前記ハウジングに対して着脱可能とされ、第１側部と、前記第１側部とは反対側の第２側部と、前記第１側部と前記第２側部との間に配置されシートに当接する外周面とを含み、所定の回転方向に回転駆動され、前記シートを搬送する搬送ローラーと、
前記ハウジングに回転可能に軸支され、先端に前記搬送ローラーの前記第１側部または前記第２側部に連結される第１カップリング部を備える第１シャフトと、
前記第１シャフトと同じ軸線上に配置され、前記ハウジングに回転可能に軸支され、前記第１カップリング部に対向する先端に前記搬送ローラーの前記第１側部または前記第２側部に連結される第２カップリング部を備える第２シャフトと、
前記第１シャフトおよび前記第２シャフトに連結され、前記第１シャフトおよび前記第２シャフトを前記回転方向に回転駆動させる駆動部と、
を有し、
前記搬送ローラーの前記第１側部には、前記第１カップリング部または前記第２カップリング部と係合し、前記第１シャフトまたは前記第２シャフトから前記搬送ローラーに回転駆動力を伝達する被係合部が設けられ、前記第２側部には、前記第１カップリング部または前記第２カップリング部に軸支されることが可能な軸受部が設けられ、
前記搬送ローラーは、前記被係合部が前記第１カップリング部に係合され、前記第１シャフトと前記回転方向に一体回転する第１の装着状態、および、前記被係合部が前記第２カップリング部に係合され、前記第２シャフトと前記回転方向に一体回転する第２の装着状態のいずれの状態でも前記ハウジングに装着可能であることを特徴とする給紙装置。
【請求項２】
前記搬送ローラーは、
内部に中空部を備え、側端部が前記第１側部または前記第２側部を構成するホルダー部と、
前記ホルダー部に支持され、前記外周面を備えるローラー部と、
前記ホルダー部の前記中空部に装着され、側端部が前記第１側部および前記第２側部のうち前記ホルダー部とは異なる方を構成する可動部と、
を備え、
前記可動部は、前記ホルダー部の前記中空部に対して前記搬送ローラーの回転における軸方向にスライド移動可能に支持されていることを特徴とする請求項１に記載の給紙装置。
【請求項３】
前記第１カップリング部および前記第２カップリング部は、前記搬送ローラーの回転における周方向に沿って配置された複数の爪からなり、
前記被係合部は、前記周方向に沿って配置され前記カップリング部の複数の爪と係合する複数の爪からなり、
前記軸受部は、前記第１カップリング部または前記第２カップリング部が挿入される内部空間を含む円筒形状からなることを特徴とする請求項１または２に記載の給紙装置。
【請求項４】
前記第１の装着状態における前記搬送ローラーの前記外周面と前記シートとの摩擦係数と、前記第２の装着状態における前記搬送ローラーの前記外周面と前記シートとの摩擦係数とが異なることを特徴とする請求項１に記載の給紙装置。
【請求項５】
前記駆動部は、
前記第１シャフトに連結され、前記第１シャフトを前記回転方向に回転させる第１駆動部と、
前記第２シャフトに連結され、前記第２シャフトを前記回転方向に回転させる第２駆動部と、
を備え、
前記第１の装着状態において前記第１駆動部によって回転される前記搬送ローラーの回転速度と、前記第２の装着状態において前記第２駆動部によって回転される前記搬送ローラーの回転速度とが異なることを特徴とする請求項１に記載の給紙装置。
【請求項６】
シートに画像を形成する画像形成部と、
前記シートを搬送する請求項１乃至５の何れか１項に記載の給紙装置と、を有することを特徴とする画像形成装置。
【請求項７】
原稿としての前記シートを搬送する請求項１乃至５の何れか１項に記載の給紙装置と、
前記原稿の画像を読み取る読取部と、
を有することを特徴とする画像読取装置。
【発明の詳細な説明】
【技術分野】
【０００１】
本発明は、シートを給紙する給紙装置、およびこれを備えた画像形成装置、画像読取装置に関する。
【背景技術】
【０００２】
従来、シートを給紙する給紙装置として、画像形成装置に搭載されているものが知られている。給紙装置は、シートトレイと、搬送ローラーとを備える。搬送ローラーの周面が、シートトレイに積載されたシートに当接する。そして、搬送ローラーが回転されると、前記シートが所定の搬送方向に搬送される。特許文献１には、給紙装置のハウジングに対して、搬送ローラーが着脱可能とされる技術が開示されている。
【先行技術文献】
【特許文献】
【０００３】
【特許文献１】特開平９−１８８４３４号公報
【発明の概要】
【発明が解決しようとする課題】
【０００４】
特許文献１に記載された給紙装置は、駆動軸と、支持軸と、前記搬送ローラーとを備える。駆動軸はハウジングに回転可能に支持され、搬送ローラーに回転駆動力を伝達する。ハウジングに配置された装着部に搬送ローラーが装着されると、駆動軸の先端に配置された係合部が、搬送ローラーの一方の側面に形成された被係合部と係合される。また、ハウジングに配置された支持軸が、搬送ローラーの他方の側面に形成された軸受部に挿入される。駆動軸の係合部と搬送ローラーの被係合部とが係合し、搬送ローラーが回転駆動される。
【０００５】
しかしながら、上記の技術では、搬送ローラーの被係合部と軸受部とが入れ替わった状態で、搬送ローラーが装着部に誤って装着されることがあった。この結果、搬送ローラーの回転不良が生じ、シートが搬送されないという不具合があった。
【０００６】
本発明は、上記のような課題を解決するためになされたものであり、ハウジングに対して着脱可能な搬送ローラーの回転不良を防止した給紙装置およびこれを備える画像形成装置、画像読取装置を提供することを目的とする。
【課題を解決するための手段】
【０００７】
本発明の一局面に係る給紙装置は、ハウジングと、前記ハウジングに対して着脱可能とされ、第１側部と、前記第１側部とは反対側の第２側部と、前記第１側部と前記第２側部との間に配置されシートに当接する外周面とを含み、所定の回転方向に回転駆動され、前記シートを搬送する搬送ローラーと、前記ハウジングに回転可能に軸支され、先端に前記搬送ローラーの前記第１側部または前記第２側部に連結される第１カップリング部を備える第１シャフトと、前記第１シャフトと同じ軸線上に配置され、前記ハウジングに回転可能に軸支され、前記第１カップリング部に対向する先端に前記搬送ローラーの前記第１側部または前記第２側部に連結される第２カップリング部を備える第２シャフトと、前記第１シャフトおよび前記第２シャフトに連結され、前記第１シャフトおよび前記第２シャフトを前記回転方向に回転駆動させる駆動部と、を有し、前記搬送ローラーの前記第１側部には、前記第１カップリング部または前記第２カップリング部と係合し、前記第１シャフトまたは前記第２シャフトから前記搬送ローラーに回転駆動力を伝達する被係合部が設けられ、前記第２側部には、前記第１カップリング部または前記第２カップリング部に軸支されることが可能な軸受部が設けられ、前記搬送ローラーは、前記被係合部が前記第１カップリング部に係合され、前記第１シャフトと前記回転方向に一体回転する第１の装着状態、および、前記被係合部が前記第２カップリング部に係合され、前記第２シャフトと前記回転方向に一体回転する第２の装着状態のいずれの状態でも前記ハウジングに装着可能であることを特徴とする。
【０００８】
本構成によれば、第１の装着状態となるように搬送ローラーがハウジングに装着されると、駆動部の回転駆動力が第１シャフトを介して搬送ローラーに伝達される。そして、搬送ローラーは第１シャフトとともに一体回転する。一方、第２の装着状態となるように搬送ローラーがハウジングに装着されると、駆動部の回転駆動力が第２シャフトを介して搬送ローラーに伝達される。そして、搬送ローラーは第２シャフトとともに一体回転する。この結果、搬送ローラーが、ハウジングに対していずれの装着状態で装着された場合であっても、搬送ローラーが所定の回転方向に回転される。したがって、ハウジングに対して着脱可能な搬送ローラーの誤装着による回転不良が防止され、シートが安定して搬送される。
【０００９】
上記の構成において、前記搬送ローラーは、内部に中空部を備え、側端部が前記第１側部または前記第２側部を構成するホルダー部と、前記ホルダー部に支持され、前記外周面を備えるローラー部と、前記ホルダー部の前記中空部に装着され、側端部が前記第１側部および前記第２側部のうち前記ホルダー部とは異なる方を構成する可動部と、を備え、前記可動部は、前記ホルダー部の前記中空部に対して前記搬送ローラーの回転における軸方向にスライド移動可能に支持されていることが望ましい。
【００１０】
本構成によれば、第１側部および第２側部の両側に第１シャフトおよび第２シャフトが連結される搬送ローラーが、ハウジングに対して容易に着脱される。
【００１１】
上記の構成において、前記第１カップリング部および前記第２カップリング部は、前記搬送ローラーの回転における周方向に沿って配置された複数の爪からなり、前記被係合部は、前記周方向に沿って配置され前記カップリング部の複数の爪と係合する複数の爪からなり、前記軸受部は、前記第１カップリング部または前記第２カップリング部が挿入される内部空間を含む円筒形状からなることが望ましい。
【００１２】
本構成によれば、第１カップリング部または第２カップリング部と被係合部との係合によって、搬送ローラーに回転駆動力が確実に伝達される。また、軸受部の内部空間に前記カップリング部が挿入されることによって、搬送ローラーが安定して回転支持される。
【００１３】
上記の構成において、前記第１の装着状態における前記搬送ローラーの前記外周面と前記シートとの摩擦係数と、前記第２の装着状態における前記搬送ローラーの前記外周面と前記シートとの摩擦係数とが異なることが望ましい。
【００１４】
本構成によれば、搬送ローラーを第１の装着状態または第２の装着状態に選択的に装着することによって、シートの搬送力を調整することができる。
【００１５】
上記の構成において、前記駆動部は、前記第１シャフトに連結され、前記第１シャフトを前記回転方向に回転させる第１駆動部と、前記第２シャフトに連結され、前記第２シャフトを前記回転方向に回転させる第２駆動部と、を備え、前記第１の装着状態において前記第１駆動部によって回転される前記搬送ローラーの回転速度と、前記第２の装着状態において前記第２駆動部によって回転される前記搬送ローラーの回転速度とが異なることが望ましい。
【００１６】
本構成によれば、搬送ローラーを第１の装着状態または第２の装着状態に選択的に装着することによって、シートの搬送速度を調整することができる。
【００１７】
本発明の他の局面に係る画像形成装置は、シートに画像を形成する画像形成部と、前記シートを搬送する上記の何れか１に記載の給紙装置と、を有することを特徴とする。
【００１８】
本構成によれば、搬送ローラーが、ハウジングに対していずれの装着状態で装着された場合であっても、搬送ローラーが所定の回転方向に回転される。したがって、ハウジングに対して着脱可能な搬送ローラーの回転不良が防止され、シートが安定して搬送される。この結果、画像形成部にシートが安定して搬送される。または、画像形成部が形成されたシートが安定して搬送される。
【００１９】
本発明の他の局面に係る画像読取装置は、原稿としての前記シートを搬送する上記の何れか１に記載の給紙装置と、前記原稿の画像を読み取る読取部と、を有することを特徴とする。
【００２０】
本構成によれば、搬送ローラーが、ハウジングに対していずれの装着状態で装着された場合であっても、搬送ローラーが所定の回転方向に回転される。したがって、ハウジングに対して着脱可能な搬送ローラーの回転不良が防止され、原稿が安定して搬送される。この結果、原稿が読取部に向かって安定して搬送される。または、読取部において画像が読み取られた原稿が安定して搬送される。
【発明の効果】
【００２１】
本発明によれば、ハウジングに対して着脱可能な搬送ローラーの回転不良を防止した給紙装置およびこれを備える画像形成装置、画像読取装置が提供される。
【図面の簡単な説明】
【００２２】
【図１】本発明の実施形態に係る画像形成装置の構造を示す模式的な断面図である。
【図２】本発明の実施形態に係る手差し給紙部の斜視図である。
【図３】本発明の実施形態に係る手差し給紙部の一部の拡大斜視図である。
【図４】本発明の実施形態に係る給紙ローラーの斜視図である。
【図５】本発明の実施形態に係る給紙ローラーの斜視図である。
【図６】本発明の実施形態に係るハウジングの一部の拡大斜視図である。
【図７】本発明の実施形態に係る給紙ローラーおよび駆動シャフトの拡大断面図である。
【図８】本発明の他の実施形態に係る給紙ローラーの（Ａ）正面図および（Ｂ）外周面の模式的な拡大断面図である。
【図９】本発明の他の実施形態に係る手差し給紙部の給紙ローラーおよび駆動シャフト周辺の断面図である。
【発明を実施するための形態】
【００２３】
以下、図面に基づいて、本発明の実施形態につき詳細に説明する。図１は、本発明の一実施形態に係る画像形成装置１の内部構造を示す模式的な断面図である。ここでは、画像形成装置１として、プリンター機能と複写機能とを備えた複合機を例示するが、画像形成装置は、プリンター、複写機、ファクシミリ装置などであってもよい。
【００２４】
＜画像形成装置の説明＞
画像形成装置１は、略直方体形状の筐体構造を有する装置本体１０と、装置本体１０上に配置される自動原稿給送装置２０と、を備える。装置本体１０の内部には、複写する原稿画像を光学的に読み取る読取ユニット２５（読取部）と、シートにトナー像を形成する画像形成部３０と、前記トナー像をシートに定着させる定着部１６０と、画像形成部３０へ搬送される定型シートを貯留する給紙部４０と、定型シートを給紙部４０又は手差し給紙部４６から画像形成部３０及び定着部１６０を経由してシート排出口１０Ｅまで搬送する搬送経路１５０と、が収容されている。
【００２５】
自動原稿給送装置（ＡＤＦ）２０は、装置本体１０の上面に回動自在に取り付けられている。ＡＤＦ２０は、装置本体１０における所定の原稿読取位置に向けて、複写される原稿シートを自動給送する。一方、ユーザーが手置きで原稿シートを所定の原稿読取位置に載置する場合は、ＡＤＦ２０は上方に開かれる。ＡＤＦ２０は、原稿シートが載置される原稿トレイ２１と、原稿読取位置を経由して原稿シートを搬送する原稿搬送部２２と、読取後の原稿シートが排出される原稿排出トレイ２３とを含む。
【００２６】
装置本体１０の上面には、ＡＤＦ２０から自動給送される原稿シートの読取用のコンタクトガラス、又は手置きされる原稿シートの読取用のコンタクトガラス（不図示）が配置される。読取ユニット２５は、これらのコンタクトガラスを通じて、原稿シートの画像を光学的に読み取る。なお、上記の自動原稿給送装置（ＡＤＦ）２０と読取ユニット２５とによって、後記の画像読取装置２が構成される。
【００２７】
画像形成部３０は、公知の電子写真方式に基づいて、トナー画像を生成し、シートに該トナー画像を形成する。なお、他の実施形態において、インクジェット方式などの他の画像形成方式が採用されてもよい。画像形成部３０は、感光体ドラム３２１と、この感光体ドラム３２１の周囲に配置された、不図示の帯電器、露光器、現像装置、クリーニング装置などを含む。
【００２８】
感光体ドラム３２１は、その軸回りに回転し、その周面に静電潜像及びトナー像が形成される。感光体ドラム３２１としては、アモルファスシリコン（ａ−Ｓｉ）系材料を用いた感光体ドラムを用いることができる。帯電器は、感光体ドラム３２１の表面を均一に帯電する。露光器は、レーザー光源とミラーやレンズ等の光学系機器とを有し、感光体ドラム３２１の周面に、原稿画像の画像データに基づく光を照射して、静電潜像を形成する。現像装置は、感光体ドラム３２１上に形成された静電潜像を現像するために、感光体ドラム３２１の周面にトナーを供給する。現像装置は、２成分現像剤用のものであり、スクリューフィーダー、磁気ローラー、及び現像ローラーを含む。クリーニング装置は、クリーニングローラー等を有し、トナー像転写後の感光体ドラム３２１の周面を清掃する。感光体ドラム３２１に対向して、転写ローラー３５が配置されている。感光体ドラム３２１と転写ローラー３５との転写ニップ部において、感光体ドラム３２１上のトナー像がシートに転写される。転写ローラー３５には、トナー像と逆極性の二次転写バイアス電位が印加される。
【００２９】
給紙部４０は、画像形成処理が施されるシートのうち、定型シートＰを収容する２段の第１給紙カセット４０Ａ、第２給紙カセット４０Ｂを備える。これらの給紙カセットは、装置本体１０の前方から手前方向に引出可能である。
【００３０】
第１給紙カセット４０Ａは、定型シートＰが積層されてなるシート束を収納するシート収容部４１と、給紙のために前記シート束をリフトアップするリフト板４２とを備える。給紙カセット４０Ａの右端側の上部には、不図示のピックアップローラーと、給紙コロ４４とリタードローラー４５とのローラー対とが配置されている。ピックアップローラー及び給紙コロ４４の駆動により、給紙カセット４０Ａ内のシート束の最上層のシートＰが１枚ずつ繰り出され、搬送経路１５０の上流端へ搬入される。なお、第２給紙カセット４０Ｂも、第１給紙カセット４０Ａと同様の構成を備える。
【００３１】
装置本体１０の右側面１０Ｒには、手差し給紙部４６（給紙装置）が配置される。手差し給紙部４６は、画像形成部３０に向かってシートを搬送する。手差し給紙部４６は、手差し給紙用の手差しトレイ４６Ａと、給紙ローラー４６１（搬送ローラー）とを備える。手差しトレイ４６Ａには、シートが積載される。手差しトレイ４６Ａは、その下端部に配置された支点部４６Ａ１を支点として装置本体１０に対して開閉自在に装着されている。ユーザーは、手差し給紙を行う場合、図示の通り手差しトレイ４６Ａを開き、その上にシートを載置する。手差しトレイ４６Ａに載置されたシートは、給紙ローラー４６１の駆動によって、手差しトレイ４６Ａから延設されシートが所定のシート搬送方向に搬送される手差しシート搬送路４６０（シート搬送路）へ搬入される。前記シート搬送方向に搬送されたシートは、手差しシート搬送路４６０から搬送経路１５０に搬入される。給紙ローラー４６１は、所定の回転方向に回転駆動され、シートを前記シート搬送方向に搬送する。給紙ローラー４６１は、手差しトレイ４６Ａの前記シート搬送方向下流側に対向して配置される。
【００３２】
搬送経路１５０は、給紙部４０から画像形成部３０および定着部１６０を通過して、シート排出口１０Ｅまで延設されている。搬送経路１５０の、転写ニップ部よりも上流側には、レジストローラー対１５１が配置されている。シートは、停止状態のレジストローラー対５１にて一旦停止され、スキュー矯正が行われる。その後、画像転写のための所定のタイミングで、レジストローラー対１５１が駆動部（図略）で回転駆動されることで、シートは転写ニップ部に送り出される。この他、搬送経路１５０には、シートを搬送するための不図示のシート搬送ローラーが複数配置されている。
【００３３】
搬送経路１５０の最下流端には、排紙ローラー１５３が配置されている。排紙ローラー１５３は、シート排出口１０ＥからシートＰを排出する。シート排出口１０Ｅから排出されたシートＰは、排紙部１０Ｕに排紙され、積載される。
【００３４】
定着部１６０は、シートにトナー像を定着させる定着処理を施す。不図示の定着ローラーに対して加圧ローラーが圧接され、定着ニップ部が形成されている。シートが定着ニップ部を通過することで、シートに転写されたトナー像が当該シートに定着される。
【００３５】
＜手差し給紙部について＞
次に、図２乃至図７を参照して、本発明の第１の実施形態に係る手差し給紙部４６について詳述する。図２は、本実施形態に係る手差し給紙部４６の斜視図である。図３は、手差し給紙部４６のハウジング４６Ｈの周辺の斜視図である。図４および図５は、給紙ローラー４６１の斜視図である。図６は、ハウジング４６Ｈのうち給紙ローラー４６１が装着される装着部４６Ｈ１周辺の拡大斜視図である。図７は、給紙ローラー４６１、第１駆動軸４６２および第２駆動軸４６３の拡大断面図である。
【００３６】
図２および図３を参照して、手差し給紙部４６は、本体ユニット１００と、前述の手差しトレイ４６Ａと、手差しリフト板４６Ｂと、幅寄せガイド４６Ｃと、ハウジング４６Ｈと、前述の給紙ローラー４６１と、第１駆動軸４６２と、第２駆動軸４６３と、第１駆動部７１と、第２駆動部７２と、を備える。
【００３７】
本体ユニット１００は、装置本体１０の右側面１０Ｒ（図１）に配置される筐体である。本体ユニット１００は、装置本体１０の一部を構成する。図２に示すように、本体ユニット１００は、左右方向に所定の幅をもって前後方向に延設される。本体ユニット１００は、手差しトレイ４６Ａよりもシート搬送方向下流側で、手差しシート搬送路４６０（図１）の下方を画定する。シートは、本体ユニット１００および後記のハウジング４６Ｈによって、左方かつ上方に向かって案内される。
【００３８】
前述の手差しトレイ４６Ａは、本体ユニット１００に対して開閉可能とされる板状部材である。手差しトレイ４６Ａは、支点部４６Ａ１（図１）を支点として回動可能とされる。シートは手差しトレイ４６Ａから図２の矢印ＤＰ方向（シート搬送方向、単に搬送方向とも言う）に向かって搬送される。
【００３９】
手差しリフト板４６Ｂは、手差しトレイ４６Ａの上面部の一部を形成し、手差しトレイ４６Ａの左方（搬送方向下流側）に配置される。手差しリフト板４６Ｂの左端部（搬送方向下流側端部）は不図示の駆動機構によって上下に移動可能とされる。手差しリフト板４６Ｂの上下移動によって、手差しトレイ４６Ａ上に積載されたシート束の先端部が上方に移動される。この結果、シートの先端部が給紙ローラー４６１に当接される。
【００４０】
幅寄せガイド４６Ｃは、手差しリフト板４６Ｂ上に配置される。幅寄せガイド４６Ｃは前後方向に一対配置され、シートの幅方向の位置を規制する。幅寄せガイド４６Ｃは、手差しリフト板４６Ｂに形成されたガイド溝４６Ｂ１に沿って、不図示のラックおよびピニオンギアを介して、前後方向に移動可能とされる。
【００４１】
ハウジング４６Ｈは、前後方向に延伸される箱型形状からなる。ハウジング４６Ｈは、本体ユニット１００の上方に配置される。ハウジング４６Ｈの下端部は、手差しシート搬送路４６０の上方部分を画定する。換言すれば、ハウジング４６Ｈと本体ユニット１００との間に手差しシート搬送路４６０の一部が形成される。ハウジング４６Ｈは、前後方向の中央部分において、給紙ローラー４６１を回転可能に支持する。ハウジング４６Ｈは、装着部４６Ｈ１と、第１クラッチ４６Ｈ２と、第２クラッチ４６Ｈ３と、第１軸支部４６Ｈ４（図６）と、第２軸支部４６Ｈ５（図６）とを備える。
【００４２】
装着部４６Ｈ１は、ハウジング４６Ｈの前後方向の中央部が部分的に右方に突出した形状を備える。装着部４６Ｈ１の内部に、給紙ローラー４６１が収容される挿入空間４６Ｓが形成される。挿入空間４６Ｓは、上方および下方が開放されている。給紙ローラー４６１は、挿入空間４６Ｓに上方から装着される。第１クラッチ４６Ｈ２は、ハウジング４６Ｈの後端部に配置されたクラッチである。第１クラッチ４６Ｈ２には、後記の第１駆動軸４６２が連結される。同様に、第２クラッチ４６Ｈ３は、ハウジング４６Ｈの前端部に配置されたクラッチである。第２クラッチ４６Ｈ３には、後記の第２駆動軸４６３が連結される。第１軸支部４６Ｈ４および第２軸支部４６Ｈ５（図６）は、挿入空間４６Ｓの前後に配置された一対の軸受部である。第１軸支部４６Ｈ４は、後記の第１駆動軸４６２を回転可能に支持する。また、第２軸支部４６Ｈ５は、後記の第２駆動軸４６３を回転可能に支持する。
【００４３】
前述の給紙ローラー４６１は、手差しトレイ４６Ａに対向して手差しシート搬送路４６０の上方に配置される。給紙ローラー４６１は、ハウジング４６Ｈに対して着脱可能とされる。図４を参照して、給紙ローラー４６１は、周面４６１Ａ（外周面）と、第１側部４６１Ｂと、第２側部４６１Ｃとを備える。第１側部４６１Ｂは、給紙ローラー４６１の一方の側部である。また、第２側部４６１Ｃは、第１側部４６１Ｂとは反対側の他方の側部である。周面４６１Ａは、第１側部４６１Ｂと第２側部４６１Ｃとの間に配置される。周面４６１Ａが前記シートに当接し、給紙ローラー４６１が回転されることで（図３の矢印ＤＲ参照）、シートが搬送される。
【００４４】
図４、図５および図７を参照して、給紙ローラー４６１は、ローラー部４６１Ｒと、ホルダー部４６１Ｈと、可動部５１と、スプリング４６１Ｓ（図７）とを備える。
【００４５】
ホルダー部４６１Ｈは、円筒体形状からなる。ホルダー部４６１Ｈは、側端部が前述の第１側部４６１Ｂを構成し、内部に中空部を含む。ローラー部４６１Ｒは、ホルダー部４６１Ｈに支持され、前述の周面４６１Ａを備える。周面４６１Ａを含むローラー部４６１Ｒは、ホルダー部４６１Ｈの外周部に円筒状のゴム部材が配置されることで形成される。ホルダー部４６１Ｈの前記中空部分に後記の可動部５１の挿入部５１２が挿入される。給紙ローラー４６１の一方の側面である第１ローラー側面４６１Ｂ１（図５）には、円筒部５０が配置されている。円筒部５０は、ホルダー部４６１Ｈの側面から軸方向に突設されている。円筒部５０は、基端部５０Ａと、カップリング挿入部５０Ｂ（被係合部）とを備える。カップリング挿入部５０Ｂは、基端部５０Ａの先端部に配置される。カップリング挿入部５０Ｂは、後記の第１カップリング部６０または第２カップリング部６２と係合可能である。詳しくは、カップリング挿入部５０Ｂは円筒形状からなり、内部において周方向に沿って配置される複数の突片５０１（爪）を含む。複数の突片５０１は、後記の第１係合爪６１または第２係合爪６３と噛み合い可能とされる。
【００４６】
第２ローラー側面４６１Ｃ１、すなわちホルダー部４６１Ｈの他方の側面には、開口部Ｔ（図４）が形成されている。該開口部Ｔを介して、可動部５１の挿入部５１２がホルダー部４６１Ｈの内部に挿入される（図７）。
【００４７】
可動部５１は、側端部が前述の第２側部４６１Ｃを構成し、ホルダー部４６１Ｈに装着される。換言すれば、可動部５１は、第１側部４６１Ｂおよび第２側部４６１Ｃのうちローラー部４６１Ｒに配置される側部とは異なる方を含む。可動部５１は、ホルダー部４６１Ｈの前記中空部に対して、給紙ローラー４６１の回転における軸方向にスライド移動可能である。可動部５１は、鍔部５１１と、挿入部５１２とを備える。挿入部５１２は、鍔部５１１側が角柱形状からなり、先端側（挿入外周部５１２Ａ）は略円筒形状からなる。挿入外周部５１２Ａは、ホルダー部４６１Ｈの中空内部に挿入される。鍔部５１１は、挿入部５１２の軸方向外側に配置された鍔部分である。鍔部５１１は、ローラー部４６１Ｒの第２ローラー側面４６１Ｃ１に対向している。鍔部５１１が給紙ローラー４６１の使用者によって把持されることで、可動部５１がホルダー部４６１Ｈに対して軸方向にスライド移動可能とされる（図４の矢印ＤＳ）。この際、挿入外周部５１２Ａから径方向外側に突設された不図示のフックが、ホルダー部４６１Ｈの内周面に形成された不図示の係合片に係合することで、前記フックが可動部５１の抜け止め機能を備える。また、可動部５１は、軸受部５２を備える。軸受部５２は、鍔部５１１の中心部分において、鍔部５１１から軸方向外側に突設されている。換言すれば、軸受部５２は、給紙ローラー４６１の第２側部４６１Ｃに配置されている。図４および図７に示すように、軸受部５２は、内部空間を含む円筒形状からなる。そして、軸受部５２の前記内部空間に、後記の第１カップリング部６０または第２カップリング部６２が挿入される。この結果、軸受部５２は、第１カップリング部６０または第２カップリング部６２を回転可能に軸支する。
【００４８】
スプリング４６１Ｓ（図７）は、ホルダー部４６１Ｈの中空内部において、挿入外周部５１２Ａに外嵌されるコイルばねである。そして、スプリング４６１Ｓは、ホルダー部４６１Ｈの内壁部４６１Ｔ（図７）と、挿入部５１２の内側鍔部５１２Ｂとの間で、圧縮変形可能とされる。給紙ローラー４６１がハウジング４６Ｈから脱離される際、給紙ローラー４６１全体の軸方向の長さ、換言すれば、第１側部４６１Ｂと第２側部４６１Ｃとの間の軸方向の長さが縮小するように、可動部５１がホルダー部４６１Ｈに対してスライド移動される。この際、スプリング４６１Ｓが圧縮されながら、可動部５１がスライド移動する。一方、給紙ローラー４６１がハウジング４６Ｈに装着されると、給紙ローラー４６１全体の軸方向の長さが増大するように、ホルダー部４６１Ｈが可動部５１に対して軸方向（図７の前後方向）にスライド移動する。この際、スプリング４６１Ｓの付勢力によって、カップリング挿入部５０Ｂと後記の第１係合爪６１との係合がスムーズかつ確実に実現される。
【００４９】
第１駆動軸４６２は、ハウジング４６Ｈの後側部分に装着されている。第１駆動軸４６２は、ハウジング４６Ｈの前述の第１軸支部４６Ｈ４（図６）に軸支されるとともに、第１クラッチ４６Ｈ２（図３）に連結されている。第１駆動軸４６２は、前後方向に延伸されるシャフトであり、給紙ローラー４６１の回転軸となる。第１駆動軸４６２は、給紙ローラー４６１の第１側部４６１Ｂまたは第２側部４６１Ｃに連結される。第１クラッチ４６Ｈ２は、第１駆動ギア４６４を備える。なお、図３では、第１クラッチ４６Ｈ２の後側に配置される第１駆動ギア４６４は現れていない。第１駆動ギア４６４は、第１クラッチ４６Ｈ２に連結されているギアである。第１駆動ギア４６４は後記の第１駆動部７１に連結される。
【００５０】
更に、第１駆動軸４６２は、第１カップリング部６０（図６）を備える。第１カップリング部６０は、第１駆動軸４６２の給紙ローラー４６１側（挿入空間４６Ｓ側）の先端部に配置される。第１カップリング部６０は、前方に向かって配設されたカップリングである。第１カップリング部６０は、給紙ローラー４６１のカップリング挿入部５０Ｂと係合可能とされる。第１カップリング部６０は、第１係合爪６１を備える。第１係合爪６１は、給紙ローラー４６１の回転における周方向に沿って配置された複数の爪からなる。第１係合爪６１は、カップリング挿入部５０Ｂの複数の突片５０１と噛み合う（係合する）ように配置される。更に、第１カップリング部６０の第１係合爪６１は、給紙ローラー４６１の軸受部５２に挿入可能とされる。
【００５１】
第２駆動軸４６３は、ハウジング４６Ｈの前側部分に装着されている。第２駆動軸４６３は、第１駆動軸４６２と同じ軸線上であって、挿入空間４６Ｓを挟んで第１駆動軸４６２の反対側に配置される。第２駆動軸４６３は、ハウジング４６Ｈの前述の第２軸支部４６Ｈ５（図６）に軸支されるとともに、第２クラッチ４６Ｈ３（図３）に連結されている。第２駆動軸４６３は、前後方向に延伸されるシャフトであり、給紙ローラー４６１の回転軸となる。第２駆動軸４６３は、給紙ローラー４６１の第１側部４６１Ｂまたは第２側部４６１Ｃに連結される。詳しくは、第２駆動軸４６３は、第１側部４６１Ｂおよび第２側部４６１Ｃのうち、第１駆動軸４６２が連結される側部とは異なる側部に連結される。第２クラッチ４６Ｈ３は、第２駆動ギア４６５を備える。第２駆動ギア４６５は、第２クラッチ４６Ｈ３に連結されているギアである。第２駆動ギア４６５は後記の第２駆動部７２に連結される。
【００５２】
更に、第２駆動軸４６３は、第２カップリング部６２（図６）を備える。第２カップリング部６２は、第２駆動軸４６３の給紙ローラー４６１側（挿入空間４６Ｓ側、第１カップリング部６０に対向する側）の先端部に配置される。第２カップリング部６２は、後方に向かって配設されたカップリングである。第２カップリング部６２は、給紙ローラー４６１のカップリング挿入部５０Ｂと係合可能とされる。第２カップリング部６２は、第２係合爪６３を備える。第２係合爪６３は、給紙ローラー４６１の回転における周方向に沿って配置された複数の爪からなる。第２係合爪６３は、カップリング挿入部５０Ｂの複数の突片５０１と噛み合うように配置される。更に、第２カップリング部６２の第２係合爪６３は、給紙ローラー４６１の軸受部５２に挿入可能とされる。
【００５３】
第１駆動部７１（図３）（駆動部）は、給紙ローラー４６１を回転させる回転駆動力を発生するモーターである。第１駆動部７１は、本体ユニット１００の内部に配置される。第１駆動部７１は、第１駆動ギア４６４に連結され、第１駆動軸４６２を所定の回転方向（図３の矢印ＤＲ）に回転駆動させる。
【００５４】
第２駆動部７２（図３）（駆動部）は、給紙ローラー４６１を回転させる回転駆動力を発生するモーターである。第２駆動部７２は、本体ユニット１００の内部に配置される。第２駆動部７２は、第２駆動ギア４６５に連結され、第２駆動軸４６３を所定の回転方向（図３の矢印ＤＲ）に回転駆動させる。
【００５５】
図６に示されるように、第１駆動軸４６２および第２駆動軸４６３が予めハウジング４６Ｈに装着された状態で、装着部４６Ｈ１の挿入空間４６Ｓに給紙ローラー４６１が上方から装着される。前述のように給紙ローラー４６１は円筒体形状からなる。このため、作業者には、給紙ローラー４６１における第１側部４６１Ｂおよび第２側部４６１Ｃの配置がわかりにくい場合がある。この結果、前記作業者によって、第１側部４６１Ｂが第１駆動軸４６２に連結される場合や、第１側部４６１Ｂが第２駆動軸４６３に連結される場合がある。本実施形態では、給紙ローラー４６１が装着部４６Ｈ１にいずれの向きで装着された場合でも、給紙ローラー４６１が安定して回転される。
【００５６】
すなわち、給紙ローラー４６１は、第１の装着状態および第２の装着状態のいずれの状態でも、ハウジング４６Ｈに装着可能とされる。ここで、第２側部４６１Ｃが前方に面するように、作業者が給紙ローラー４６１を挿入空間４６Ｓに装着した状態が、第１の装着状態と定義される。一方、第１側部４６１Ｂが前方に面するように、作業者が給紙ローラー４６１を装着部４６Ｈ１に装着した状態が、第２の装着状態と定義される。
【００５７】
第１の装着状態では、第１駆動軸４６２が第１側部４６１Ｂに連結され第２駆動軸４６３が第２側部４６１Ｃに連結される。そして、第１駆動部７１が発生する回転駆動力によって、給紙ローラー４６１が第１駆動軸４６２と前記回転方向（図３の矢印ＤＲ）に一体回転する。一方、第２の装着状態では、第１駆動軸４６２が第２側部４６１Ｃに連結され第２駆動軸４６３が第１側部４６１Ｂに連結される。そして、第２駆動部７２が発生する回転駆動力によって、給紙ローラー４６１が第２駆動軸４６３と前記回転方向に一体回転する。この結果、給紙ローラー４６１が、ハウジング４６Ｈに対して上記のいずれの状態で装着された場合であっても、給紙ローラー４６１が所定の前記回転方向に回転される。したがって、ハウジング４６Ｈに対して着脱可能な給紙ローラー４６１の誤装着による回転不良が防止され、給紙ローラー４６１によってシートが安定して搬送される。
【００５８】
特に、第１の装着状態では、第１カップリング部６０とカップリング挿入部５０Ｂとが係合することによって、第１駆動軸４６２と給紙ローラー４６１とが一体回転される。詳しくは、第１カップリング部６０の第１係合爪６１とカップリング挿入部５０Ｂの突片５０１とが噛み合うことで、第１駆動軸４６２と給紙ローラー４６１とが一体回転する。また、第２カップリング部６２の第２係合爪６３が軸受部５２の内部空間に挿入されることで、給紙ローラー４６１の第２側部４６１Ｃ側が第２駆動軸４６３に回転可能に支持される。なお、給紙ローラー４６１が回転する際、第２駆動軸４６３から給紙ローラー４６１に回転駆動力は伝達されない。しかしながら、回転する第２駆動軸４６３に給紙ローラー４６１の軸受部５２が支持されることで、給紙ローラー４６１の回転中心が安定して維持される。
【００５９】
一方、第２の装着状態では、第２カップリング部６２とカップリング挿入部５０Ｂとが係合することによって、第２駆動軸４６３と給紙ローラー４６１とが一体回転される。詳しくは、第２カップリング部６２の第２係合爪６３とカップリング挿入部５０Ｂの突片５０１とが噛み合うことで、第２駆動軸４６３と給紙ローラー４６１とが一体回転する。また、第１カップリング部６０の第１係合爪６１が軸受部５２の内部空間に挿入されることで、給紙ローラー４６１の第２側部４６１Ｃ側が第１駆動軸４６２に回転可能に支持される。なお、給紙ローラー４６１が回転する際、第１駆動軸４６２から給紙ローラー４６１に回転駆動力は伝達されない。しかしながら、回転する第１駆動軸４６２に給紙ローラー４６１の軸受部５２が支持されることで、この場合も、給紙ローラー４６１の回転中心が安定して維持される。
【００６０】
したがって、第１カップリング部６０または第２カップリング部６２とカップリング挿入部５０Ｂとの係合によって、給紙ローラー４６１に回転駆動力が確実に伝達され、給紙ローラー４６１が安定して回転される。また、第１カップリング部６０および第２カップリング部６２のうち、カップリング挿入部５０Ｂとは係合しない他方のカップリング部は、軸受部５２によって回転可能に支持される。この結果、いずれの装着状態においても、給紙ローラー４６１が第１側部４６１Ｂおよび第２側部４６１Ｃの両側において安定して回転支持される。
【００６１】
更に、本実施形態では、給紙ローラー４６１はローラー部４６１Ｒとホルダー部４６１Ｈと可動部５１とを含む。そして、可動部５１は、ホルダー部４６１Ｈに対して給紙ローラー４６１の回転における軸方向にスライド移動可能とされる。そして、作業者が、スプリング４６１Ｓを圧縮させながら、可動部５１の挿入部５１２をホルダー部４６１Ｈの中空部により進入させる。すなわち、給紙ローラー４６１全体の軸方向における長さ（第１側部４６１Ｂと第２側部４６１Ｃとの間の軸方向の長さ）が縮小するように可動部５１がスライド移動されることで、ハウジング４６Ｈの挿入空間４６Ｓに対する給紙ローラー４６１の着脱（装着および脱離）が容易に実現される。
【００６２】
詳しくは、給紙ローラー４６１が挿入空間４６Ｓに装着され、給紙ローラー４６１と第１駆動軸４６２および第２駆動軸４６３とが連結された状態において、上記のように、給紙ローラー４６１の第１側部４６１Ｂと第２側部４６１Ｃとの間の軸方向の長さが縮小すると、給紙ローラー４６１と第１駆動軸４６２および第２駆動軸４６３との前記連結が解除される。すなわち、図７に示される状態において、第２係合爪６３から軸受部５２が脱離し、カップリング挿入部５０Ｂが第１係合爪６１から脱離する。この結果、給紙ローラー４６１がハウジング４６Ｈから軸方向と交差する方向（径方向）に脱離可能とされる。なお、第１駆動軸４６２および第２駆動軸４６３のうち一方と給紙ローラー４６１との連結が解除される態様であっても、給紙ローラー４６１が軸方向に対して傾いた姿勢で、挿入空間４６Ｓに対して径方向に着脱されることが可能となる。
【００６３】
次に、本発明の第２の実施形態について説明する。なお、第２の実施形態は、先の第１の実施形態と比較して、給紙ローラー４６１の表面形状において相違するため、該相違点について説明し、その他の共通点については説明を省略する。図８は、給紙ローラー４６１の周面４６１Ａの表面形状を示した図である。図８（Ａ）は、給紙ローラー４６１の正面図であり、図８（Ｂ）は周面４６１Ａの一部を拡大した図である。本実施形態では、周面４６１Ａには、所定の研磨処理が施されている。詳しくは、図８（Ａ）に示されるように、突片５０１が前方に面するように、給紙ローラー４６１が挿入空間４６Ｓに第１の装着状態で配置されている場合、給紙ローラー４６１は図８（Ａ）および（Ｂ）の矢印ＤＲ方向に回転される。そして、給紙ローラー４６１の製造段階では、給紙ローラー４６１が固定された状態で、研磨部材が矢印ＤＫで示すように周方向に回転しながら、ゴム材料から構成される周面４６１Ａを研磨する。この結果、図８（Ｂ）に示すように、周面４６１Ａには、周方向に沿って研磨痕が形成される。
【００６４】
該研磨痕によって、前記第１の装着状態における給紙ローラー４６１の周面４６１Ａとシートとの摩擦係数と、前記第２の装着状態における給紙ローラー４６１の周面４６１Ａとシートとの摩擦係数とが異なることとなる。本実施形態では、前記第１の装着状態における給紙ローラー４６１の周面４６１Ａとシートとの摩擦係数が、前記第２の装着状態における給紙ローラー４６１の周面４６１Ａとシートとの摩擦係数よりも大きく設定される。したがって、厚紙が手差し給紙部４６から搬送される場合には、給紙ローラー４６１が選択的に第１の装着状態とされることで、高いグリップ力をもって厚紙を搬送することができる。一方、薄紙が手差し給紙部４６から搬送される場合には、高いグリップ力によって搬送されると薄紙にしわが生じる場合がある。したがって、薄紙に対しては、給紙ローラー４６１が選択的に第２の装着状態とされることで、相対的に低いグリップ力をもって薄紙を搬送することができる。このように、本実施形態では、給紙ローラー４６１の構造を熟知した作業者によって、給紙ローラー４６１が第１の装着状態または第２の装着状態に選択的に装着されることによって、シートの搬送力を調整することができる。一方、画像形成装置１の作業者が給紙ローラー４６１の構成を熟知していない場合であっても、前述のように本実施形態では、ハウジング４６Ｈに対して着脱可能な給紙ローラー４６１の誤装着による回転不良が防止され、給紙ローラー４６１によってシートが搬送される。
【００６５】
次に、本発明の第３の実施形態について説明する。図９は、本実施形態に係る手差し給紙部４６Ｚにおいて、給紙ローラー４６１Ｚ、第１駆動軸４６２Ｚおよび第２駆動軸４６３Ｚ周辺の断面図である。なお、本実施形態は、先の第１の実施形態と比較して、第１駆動ギア４６４Ｚおよび第２駆動ギア４６５Ｚの構造において相違するため、該相違点のみを説明し、その他の共通の構造については説明を省略する。
【００６６】
本実施形態では、給紙ローラー４６１Ｚは、ハウジング４６ＨＺに対して着脱可能とされる。なお、給紙ローラー４６１Ｚの周面には、先の第２の実施形態のような研摩処理は施されていない。このため、給紙ローラー４６１Ｚの回転方向が変化した場合であっても、前記周面の摩擦係数は略同じに設定されている。また、先の第１の実施形態と同様に、給紙ローラー４６１Ｚが図９に示される第１の装着状態とされると、第１駆動部７１Ｚの回転駆動力が第１駆動ギア４６４Ｚを介して第１駆動軸４６２Ｚに伝達される。この結果、給紙ローラー４６１Ｚが第１駆動軸４６２Ｚと一体回転する。一方、図９に示される状態から、給紙ローラー４６１Ｚの前後が入れ替えられ、給紙ローラー４６１Ｚが第２の装着状態とされると、第２駆動部７２Ｚの回転駆動力が第２駆動ギア４６５Ｚを介して第２駆動軸４６３Ｚに伝達される。この結果、給紙ローラー４６１Ｚが第２駆動軸４６３Ｚと一体回転する。
【００６７】
そして、本実施形態では、第１駆動部７１Ｚおよび第２駆動部７２Ｚは、同じ回転数で回転する不図示の駆動入力シャフトを備え、それぞれ第１駆動ギア４６４Ｚおよび第２駆動ギア４６５Ｚに回転駆動力を入力する。一方、第１駆動ギア４６４Ｚの周面に配置されたギア歯の数と、第２駆動ギア４６５Ｚの周面に配置されたギア歯の数とは異なっている。この結果、前記第１の装着状態において第１駆動部７１Ｚによって回転される給紙ローラー４６１Ｚの回転速度と、前記第２の装着状態において第２駆動部７２Ｚによって回転される給紙ローラー４６１Ｚの回転速度とが異なることとなる。特に、本実施形態では、前記第１の装着状態において第１駆動部７１Ｚによって回転される給紙ローラー４６１Ｚの回転速度が、前記第２の装着状態において第２駆動部７２Ｚによって回転される給紙ローラー４６１Ｚの回転速度よりも大きく設定される。このため、手差し給紙部４６Ｚの構造を熟知した作業者によって、給紙ローラー４６１が第１の装着状態または第２の装着状態に選択的に装着されることによって、シートの搬送速度を調整することができる。したがって、画像形成装置１において異なる印刷速度（プロセス速度）が設けられた場合であっても、前記印刷速度に応じて、給紙ローラー４６１Ｚの装着状態が変更されることで、シートが画像形成装置１内の画像形成部３０に安定して供給される。一方、この場合、作業者が手差し給紙部４６Ｚの構成を熟知していない場合であっても、給紙ローラー４６１Ｚの誤装着による回転不良が防止され、給紙ローラー４６１Ｚによってシートが搬送される。
【００６８】
以上、本発明の実施形態に係る手差し給紙部４６、４６Ｚおよびこれを備えた画像形成装置１について説明したが、本発明はこれに限定されるものではなく、例えば次のような変形実施形態を採用することができる。
【００６９】
（１）上記の実施形態では、シートトレイとして手差しトレイ４６Ａ、給紙装置として手差し給紙部４６を用いて説明したが、本発明はこれに限定されるものではない。原稿としてのシートを搬送する給紙装置として、本発明が自動原稿給送装置２０（給紙装置）に適用される態様であってもよい。この場合、前述の読取ユニット２５（読取部）と、自動原稿給送装置２０とによって、画像読取装置２が構成される。原稿トレイ２１（シート積載部）から延設されるシート搬送路に対向して、読取ユニット２５が配置される。そして、自動原稿給送装置２０に着脱可能な給紙ローラー４６１が配置されることによって、給紙ローラー４６１の回転不良が防止され、読取ユニット２５に向かって原稿が安定して搬送される。または、読取ユニット２５において画像が読み取られた原稿が給紙ローラー４６１によって安定して搬送される。
【００７０】
（２）上記の実施形態では、軸受部５２を含む第２側部４６１Ｃ側が、可動部５１としてローラー部４６１Ｒに対してスライド移動する態様にて説明したが、本発明はこれに限定されるものではない。カップリング挿入部５０Ｂを含む第１側部４６１Ｂ側が、可動部としてスライド移動する態様でもよい。また、給紙ローラー４６１は、スライド移動可能な可動部を備えず、第１側部４６１Ｂおよび第２側部４６１Ｃを側面に備える態様でもよい。更に、軸受部５２およびカップリング挿入部５０Ｂの配置は、上記の態様に限定されるものではない。軸受部５２を含む第２側部４６１Ｃがホルダー部４６１Ｈ側に配置され、カップリング挿入部５０Ｂを含む第１側部４６１Ｂが可動部５１側に配置されてもよい。
【００７１】
（３）上記の実施形態では、第１駆動軸４６２および第２駆動軸４６３に連結され、第１駆動軸４６２および第２駆動軸４６３を所定の回転方向に回転駆動させる駆動部として、第１駆動部７１および第２駆動部７２を用いて説明した。本発明はこれに限定されるものではない。一の変形実施形態として、第２駆動部７２は、第１駆動部７１が発生する回転駆動力を第２駆動ギア４６５に伝達するために、ハウジング４６Ｈに沿って延設される駆動伝達機構であってもよい。また、他の変形実施形態として、ハウジング４６Ｈの軸方向の中央部であって、給紙ローラー４６１の下方などに不図示のモーターが１つ配置されてもよい。この場合、前記モーターから、第１駆動ギア４６４および第２駆動ギア４６５に回転駆動力を伝達する他の駆動伝達機構が一対配置される。このような構成であれば、第１駆動軸４６２および第２駆動軸４６３を回転させる駆動モーターが１つとされ、手差し給紙部４６のコストが低減される。
【符号の説明】
【００７２】
１  画像形成装置
１０  装置本体
１００  本体ユニット
２５  読取ユニット
３０  画像形成部
４６、４６Ｚ  手差し給紙部（給紙装置）
４６０  手差しシート搬送路
４６１、４６１Ｚ  給紙ローラー（搬送ローラー）
４６１Ａ  周面（外周面）
４６１Ｂ  第１側部
４６１Ｃ  第２側部
４６１Ｈ  ホルダー部
４６１Ｒ  ローラー部
４６１Ｓ  スプリング
４６１Ｔ  内壁部
４６２、４６２Ｚ  第１駆動軸（第１シャフト）
４６３、４６３Ｚ  第２駆動軸（第２シャフト）
４６４、４６４Ｚ  第１駆動ギア
４６５、４６５Ｚ  第２駆動ギア
４６Ａ  手差しトレイ
４６Ａ１  支点部
４６Ｂ  手差しリフト板
４６Ｃ  幅寄せガイド
４６Ｈ  ハウジング
４６Ｈ１  装着部
４６Ｈ２  第１クラッチ
４６Ｈ３  第２クラッチ
４６Ｓ  挿入空間
５０  円筒部
５０１  突片
５０Ａ  基端部
５０Ｂ  カップリング挿入部（被係合部）
５１  可動部
５１１  鍔部
５１２  挿入部
５１２Ａ  挿入外周部
５１２Ｂ  内側鍔部
５２  軸受部
６０  第１カップリング部
６１  第１係合爪
６２  第２カップリング部
６３  第２係合爪
７１  第１駆動部（駆動部）
７２  第２駆動部（駆動部）
【図１】
0005860850.tif 000002
【図４】
0005860850.tif 000003
【図５】
0005860850.tif 000004
【図６】
0005860850.tif 000005
【図７】
0005860850.tif 000006
【図８】
0005860850.tif 000007
【図２】
0005860850.tif 000008
【図３】
0005860850.tif 000009
【図９】
0005860850.tif 000010